(57)【要約】【課題】空気増幅装置に対しての組み立て作業及び保守・管理等の作業を独立して行えるようにした、バグフィルターの逆洗に用いる空気増幅装置を備えた集塵装置を提供する。【解決手段】バグフィルター４の逆洗に用いる空気増幅装置２と、空気増幅装置２へ圧縮空気を導入する一本の圧縮空気導入管３とを備えた集塵装置１であって、空気増幅装置２を複数備えており、当該複数からなる空気増幅装置２の各々を搭載ブラケット５及びバンド部材７で締結して、独立搭載により着脱自在に装着する。【選択図】図４
2019093368.tif 000002
【特許請求の範囲】
【請求項１】
バグフィルターの逆洗に用いる複数の空気増幅装置と、該空気増幅装置へ圧縮空気を導入する一本の圧縮空気導入管とを備えた集塵装置であって、
前記複数の空気増幅装置の各々を、前記一本の圧縮空気導入管に対して独立搭載により着脱自在に装着したことを特徴とするバグフィルターの逆洗に用いる空気増幅装置を備えた集塵装置。
【請求項２】
前記一本の圧縮空気導入管に対して、前記複数の空気増幅装置の各々を、搭載ブラケット及びバンド部材により着脱自在に独立搭載したことを特徴とする請求項１に記載のバグフィルターの逆洗に用いる空気増幅装置を備えた集塵装置。
【請求項３】
前記一本の圧縮空気導入管に対して、前記複数の空気増幅装置の各々を、搭載ブラケット及びバンド部材により着脱自在に独立搭載する際に、前記空気増幅装置の圧縮空気導入部の外縁カシメ部を外方から引掛けるフック部を設けたことを特徴とする請求項２に記載のバグフィルターの逆洗に用いる空気増幅装置を備えた集塵装置。
【請求項４】
前記空気増幅装置は、空気増幅部と圧縮空気導入部とを備え、
前記空気増幅部は、外側へ向かって広がるＲ状傾斜面と、該Ｒ状傾斜面に連設して外部の空気を誘引する外部空気誘引口と、増幅された空気を噴出する増幅空気噴出口と、前記外部空気誘引口から前記増幅空気噴出口へ渡って設けられた筒状の側壁と、を備え、
前記圧縮空気導入部は、前記圧縮空気導入管からの圧縮空気を導入する圧縮空気導入口と、圧縮空気を前記空気増幅部へ噴射する圧縮空気噴射孔と、前記圧縮空気導入口から導入された圧縮空気を前記圧縮空気噴射孔へ誘導する湾曲状の圧縮空気誘導壁と、を備えることを特徴とする請求項１乃至３のいずれか一つに記載のバグフィルターの逆洗に用いる空気増幅装置を備えた集塵装置。
【発明の詳細な説明】
【技術分野】
【０００１】
本発明は、粉塵や粉体等の分散粒子を収集したバグフィルターに対し、空気増幅装置より圧縮空気を導入して、当該バグフィルターを逆洗する集塵装置に関する。特に、バグフィルターの逆洗に用いる空気増幅装置を独立搭載により保持する構造を備えた集塵装置に関する。
【背景技術】
【０００２】
従来から、火力発電所や、焼却場や、一般的な工場などにおける粉塵の除去や、粉体工場などにおける粉体の収集に、バグフィルターが用いられている。バグフィルターは、濾過集塵手段の一つであり、濾材として織布や不織布を用い、これを底部密閉の円筒状にして、導入粉塵の除去や粉体の収集などを行うものである。こうしたバグフィルターに収集された粉塵を払い落として除去する際には、機械的振動等により払い落とすこともあるが、最近では、当該バグフィルターに対して圧縮空気を噴射するインジェクターと称する空気圧縮装置が広く用いられる。
【０００３】
例えば、特許文献１及び特許文献２には、バグフィルターの外面に付着した粉体を掃い落としたい時に、当該バグフィルターに増幅空気を送り込む送風部材（空気増幅装置）を備えたコアンダインジェクターが開示されている。特許文献３には、バグフィルターに増幅された空気の圧力により圧縮空気を供給する空気増幅器を備えた圧縮空気噴射装置が開示されている。特許文献４には、フィルター素子に圧縮空気を供給するコアンダ−環状間隙噴射器（空気増幅装置）が開示されている。本願発明は、コアンダインジェクターの空気増幅機能の構成にあるものではなく、空気増幅装置としての空気増幅器の集塵装置に対する新規な搭載方式を提案するものである。
【先行技術文献】
【特許文献】
【０００４】
【特許文献１】特開２０１４−１７６８５２号公報
【特許文献２】特開２０１４−１３８９３６号公報
【特許文献３】特開２００８−１１５８４７号公報
【特許文献４】特開昭５６−１１３３１８号公報
【発明の概要】
【発明が解決しようとする課題】
【０００５】
上述したバグフィルターは、処理空気中の粉塵がフィルターに捕集され、粉塵を含有しない空気のみが排出され、粉塵の除去が行われる。このようなバグフィルターは、空気増幅器や圧縮空気噴射装置が入り組んで組み上げられ構造が複雑で組み立て作業に難儀をするものである。また、操業を続けていると、次第にフィルターに粉塵や粉体が付着し堆積することにより、フィルターの濾過効果が低下する。そこで、空気増幅装置を一定周期毎に、圧縮した空気をフィルターの濾過方向とは逆の方向から噴射し、フィルターに付着した粉塵を払い落す、所謂、逆洗を行わなければならない。また、フィルターだけではなく当該フィルターに圧縮空気を供給する空気増幅装置の保守・管理も定期的に行わなければならない。バグフィルターは、通常、１レーンに８〜９個連ねられている場合が多く、空気増幅装置もまた、バグフィルターの各々に対応して１つずつ設けられるもので、装置の組上げ時には、圧縮空気を送る１つの配管に８〜９個連ねて組上げることが必要であるし、こうした複数の空気増幅装置の各々を適切に動作するよう保守・管理する必要もある。
【０００６】
本発明は、上記課題に鑑みてなされたものであり、バグフィルターの逆洗に用いられる空気増幅装置の各々を独立搭載で設けることにより、隣り合う空気増幅装置の間に、作業のための手を挿入できるスペースを備えることが可能となり、そのスペースに手を差し入れて必要な作業をすることができ、個々の空気増幅装置に対しての保守・管理等の作業を独立して行えるようにし、個々の空気増幅装置の取り外しも可能にしたバグフィルターの逆洗に用いる空気増幅装置を備えた集塵装置を提供することを目的とする。
【課題を解決するための手段】
【０００７】
本発明のバグフィルターの逆洗に用いる空気増幅装置を備えた集塵装置は、
バグフィルターの逆洗に用いる複数の空気増幅装置と、該空気増幅装置へ圧縮空気を導入する一本の圧縮空気導入管とを備えた集塵装置であって、
前記複数の空気増幅装置の各々を、前記一本の圧縮空気導入管に対して独立搭載により着脱自在に装着したことを特徴とする。
【０００８】
さらに、本発明のバグフィルターの逆洗に用いる空気増幅装置を備えた集塵装置は、
前記一本の圧縮空気導入管に対して、前記複数の空気増幅装置の各々を、搭載ブラケット及びバンド部材により着脱自在に独立搭載したことを特徴とする。
【０００９】
さらに、本発明のバグフィルターの逆洗に用いる空気増幅装置を備えた集塵装置は、
前記一本の圧縮空気導入管に対して、前記複数の空気増幅装置の各々を、搭載ブラケット及びバンド部材により着脱自在に独立搭載する際に、前記空気増幅装置の圧縮空気導入部の外縁カシメ部を外方から引掛けるフック部を設けたことを特徴とする。
【００１０】
さらに、本発明のバグフィルターの逆洗に用いる空気増幅装置を備えた集塵装置に係り、
空気増幅装置は、空気増幅部と圧縮空気導入部とを備え、
前記空気増幅部は、外側へ向かって広がるＲ状傾斜面と、該Ｒ状傾斜面に連設して外部の空気を誘引する外部空気誘引口と、増幅された空気を噴出する増幅空気噴出口と、前記外部空気誘引口から前記増幅空気噴出口へ渡って設けられた筒状の側壁と、を備え、
前記圧縮空気導入部は、前記圧縮空気導入管からの圧縮空気を導入する圧縮空気導入口と、圧縮空気を前記空気増幅部の内壁面へ噴射する圧縮空気噴射孔と、前記圧縮空気導入口から導入された圧縮空気を前記圧縮空気噴射孔へ誘導する湾曲状の圧縮空気誘導壁と、を備えることを特徴とする。
【発明の効果】
【００１１】
本発明によれば、バグフィルターの逆洗に用いられる空気増幅装置の各々を集塵装置のフレームに対して独立搭載により設けることにより、隣り合う空気増幅装置の間にスペースを設けることが可能となり、そのスペースに手を差し入れて必要な作業をすることができ、各空気増幅装置に対しての保守・管理等の作業を独立して行えるようにし、個々の空気増幅装置の取り外しも可能にしたものである。
【図面の簡単な説明】
【００１２】
【図１】本発明の一実施例としての集塵装置に構成される、バグフィルターの逆洗に用いる空気増幅装置と、空気増幅装置へ圧縮空気を導入する一本の圧縮空気導入管とを組み上げた状態の夫々の配置関係を示す概略正面図である。
【図２】本発明の一実施例としての集塵装置に構成される、バグフィルターの逆洗に用いる空気増幅装置と、空気増幅装置へ圧縮空気を導入する一本の圧縮空気導入管とを組み上げた状態の夫々の配置関係を示す概略上面図である。
【図３】本発明の一実施例としての集塵装置に構成される、空気増幅装置へ圧縮空気を導入する一本の圧縮空気導入管を示す概略正面図である。
【図４】本発明の一実施例としての集塵装置に構成される、空気増幅装置へ圧縮空気を導入する一本の圧縮空気導入管に対して、空気増幅装置を独立搭載する構成を示す概略上面図である。
【図５】本発明の一実施例としての集塵装置に構成されるバグフィルターの逆洗に用いる空気増幅装置の斜視図である。
【図６】本発明の一実施例としての集塵装置に構成されるバグフィルターの逆洗に用いる空気増幅装置の断面図である。
【図７】本発明の一実施例としての集塵装置に構成される、８連の内２個目から７個目の空気増幅装置に対応した中央部の搭載ブラケットとバンド部材とを示す斜視図である。
【図８】本発明の一実施例としての集塵装置に構成される８連の内２個目から７個目の中央部の搭載ブラケットとバンド部材とにより、一本の圧縮空気導入管に空気増幅装置を締め付け固定するための各部材の配置関係を示す斜視図である。
【図９】本発明の一実施例としての集塵装置に構成される８連の内１個目（図２に示す左端のもの）の空気増幅装置に対応した左端の搭載ブラケットとバンド部材とを示す斜視図である。
【図１０】本発明の一実施例としての集塵装置に構成される８連の内１個目（図２に示す左端のもの）の左端の搭載ブラケットとバンド部材とにより、一本の圧縮空気導入管に空気増幅装置を締め付け固定するための各部材の配置関係を示す斜視図である。
【図１１】本発明の一実施例としての集塵装置に構成される８連の内８個目（図２に示す右端のもの）の右端の空気増幅装置に対応した右端の搭載ブラケットとバンド部材とを示す斜視図である。
【図１２】本発明の一実施例としての集塵装置に構成される８連の内８個目（図２に示す右端のもの）の右端の搭載ブラケットとバンド部材とにより、一本の圧縮空気導入管に空気増幅装置を締め付け固定するための各部材の配置関係を示す斜視図である。
【図１３】本発明の一実施例としての集塵装置に構成される８連の空気増幅装置を一本の圧縮空気導入管に強固に固定する手段を示す斜視図である。
【発明を実施するための形態】
【００１３】
以下、本発明の実施形態としての実施例を図１乃至図１３により説明する。もちろん、本発明は、その発明の趣旨に反しない範囲で、本実施例において説明した具体的な実施態様に限らず、それ以外の当業者であれば容易に変更可能な構成のものに対しても容易に適用可能なことは説明を要するまでもない。
【００１４】
本実施例の集塵装置１は、圧縮した空気を増幅する複数の空気増幅装置２と、各空気増幅装置２に圧縮した空気を導入する一本の圧縮空気導入管３とを備えており、空気増幅装置２により増幅された圧縮空気がバグフィルター４に噴射されることにより、当該バグフィルター４の逆洗が行われる。
【００１５】
本実施例の空気増幅装置２は、一本の圧縮空気導入管３に対して複数（８連）の空気増幅装置２からなり、一本の圧縮空気導入管３に沿うように８個連ねるように隣接させて、搭載ブラケット５を介在して設けられている。搭載ブラケット５の構成は後述する。また、複数（８連）の空気増幅装置２の各々が着脱自在に独立搭載された一本の圧縮空気導入管３は、詳細には説明しないが集塵装置１のフレームに対して支持されており、各空気増幅装置２の下方にはそれぞれに対応して１個ずつバグフィルター４が集塵装置１の隔壁６に設置されている（図１）。
【００１６】
図５，図６に示すように、空気増幅装置２は、空気増幅部１１と圧縮空気導入部１２とにより構成される。そして、空気増幅部１１は、Ｒ状傾斜面１１１と、外部空気誘引口１１２と、増幅空気噴出口１１３と、側壁１１４と、を備え、圧縮空気導入部１２は、圧縮空気導入口１２１と、圧縮空気噴射孔１２２と、圧縮空気誘導壁１２３と、を備える。以下、各部について、詳細に説明する。
【００１７】
空気増幅部１１は、圧縮空気導入部１２から導入された圧縮空気によるコアンダ効果を利用して、空気を増幅させる部分である。
【００１８】
Ｒ状傾斜面１１１は、外部空気誘引口１１２へ外部空気を誘導するために、外側へ向かって広がった形態を呈する。Ｒ状傾斜面１１１の大きさ、傾斜角度などの具体的態様は、本発明の効果を損なわない限り特に限定されず、目的のバグフィルター４などに合わせて自由に設計することができる。
【００１９】
外部空気誘引口１１２は、Ｒ状傾斜面１１１に連設されており、外部の空気を誘引する部分である。外部空気誘引口１１２の開口面積や開口形状は、増幅効果を損なわない限り特に限定されず、目的のバグフィルター４に用いる濾布の大きさなどに合わせて自由に設計することができる。一例を挙げると、例えば、バグフィルター４の濾布の直径が１５０ｍｍ程度の場合、内径７０〜８０ｍｍに外部空気誘引口１１２を設計することができる。
【００２０】
増幅空気噴出口１１３は、増幅された空気をバグフィルター４へ向かって排出する部分である。増幅空気噴出口１１３の開口面積や開口形状は、増幅効果を損なわない限り特に限定されず、目的のバグフィルター４に用いる濾布の大きさなどに合わせて自由に設計することができる。一例を挙げると、例えば、バグフィルター４の濾布の直径が１５０ｍｍ程度の場合、内径７０〜８０ｍｍに増幅空気噴出口１１３を設計することができる。
【００２１】
側壁１１４は、外部空気誘引口１１２から増幅空気噴出口１１３へ渡って設けられ、圧縮空気噴射孔１２２から噴射された圧縮空気と、外部空気誘引口１１２から誘引された外部空気とを増幅空気噴出口１１３へ誘導するために、筒状を呈する。そして、図１に示すように、各空気増幅装置２は、筒状の側壁１１４が、それぞれに対応して設けられたバンド部材７により搭載ブラケット５に締結されることで、独立搭載で着脱自在に設けられる。なお、側壁１１４の長さなどの具体的態様は、増幅効果を損なわない限り特に限定されず、目的のバグフィルター４などに合わせて自由に設計することができる。
【００２２】
圧縮空気導入部１２は、外観的には円環状を呈しており、一本の圧縮空気導入管３から送られてくる圧縮空気を、空気増幅装置２の内部へ導入するための構成である。そして、圧縮空気導入口１２１は、圧縮空気導入管３から送られてくる圧縮空気を、圧縮空気導入部１２の内部へ導入するための開口である。圧縮空気導入口１２１の開口面積や開口形状など具体的な態様は、増幅効果を損なわない限り特に限定されず、目的のバグフィルター４や接続する圧縮空気導入管３の形態などに合わせて自由に設計することができる。
【００２３】
圧縮空気噴射孔１２２は、圧縮空気導入口１２１から導入された圧縮空気を、空気増幅部１１の内壁面へ噴射するための構成である。この圧縮空気噴射孔１２２は、Ｒ状傾斜面１１１に沿って外部空気誘引口１１２に設けられている。
【００２４】
圧縮空気誘導壁１２３は、圧縮空気導入口１２１から導入された圧縮空気を、圧縮空気噴射孔１２２へ誘導するために、湾曲状の形態を成す。圧縮空気誘導壁１２３の具体的な形態は、圧縮空気導入口１２１から導入された圧縮空気を、圧縮空気噴射孔１２２へ誘導するために、少なくとも湾曲状の形態を成していれば、増幅効果を損なわない限りその他の構造は特に限定されず、目的のバグフィルター４や接続する圧縮空気導入管３の形態などに合わせて自由に設計することができる。
【００２５】
搭載ブラケット５は、図４に示すように、一本の圧縮空気導入管３に対して溶接等により一体的に設けられており、搭載ブラケット５の円弧状の当接部に対して空気増幅装置２の筒状の側壁１１４が当接、その空気増幅部１１を把持し、同時に反対側からバンド部材７にて支持されることにより、複数の空気増幅装置２は、夫々水平性を保って独立搭載をすることができる。
【００２６】
ここで、図４にも明示されているように、一本の圧縮空気導入管３に対する複数（８連）の空気増幅装置に対する独立搭載の構成は、当該一本の圧縮空気導入管３の中央部（搭載ブラケット５１とバンド部材７１）と、左端部（搭載ブラケット５２とバンド部材７２）と、右端部（搭載ブラケット５３とバンド部材７３）で、機能は同様であるが、各部材の形状が相違している。ここで云う「中央部」「左端部」及び「右端部」とは、図４からみた位置関係である。
【００２７】
搭載ブラケット５（５１，５２，５３）は、図７乃至図１２に示すように、中央部、左端部及び右端部共に、圧縮空気導入管３の支持底面（５１１，５２１，５３１）と、空気増幅装置２の空気増幅部１１を所定の位置に把持するための把持部（５１２，５２２，５３２）と、圧縮空気導入管３の前面支持部（５１３，５２３，５３３）と、圧縮空気導入管３の後面支持部（５１４，５２４，５３４）とから成っている。後面支持部（５１４，５２４，５３４）は、左右一対、右側のみ、或いは左側のみで構成され、何れの場合も、圧縮空気導入管３の後面に対して溶接等で一体的に取り付けられている。ここで云う圧縮空気導入管３「前面」及び「後面」とは、図４からみた下方が「前面」であり、上方が「後面」である。
【００２８】
圧縮空気導入管３の中央部は直線状であるので、搭載ブラケット５１に対応するバンド部材７１は半円弧状を呈している。バンド部材７１は、詳細は図示されていないが、圧縮空気導入管３の後面支持部５１４の立ち上がり部にボルト止めされ、空気増幅装置２を一本の圧縮空気導入管３の所定位置に独立搭載することができる。ボルト止めの際には、搭載ブラケット５１とバンド部材７１に記載したボルト孔ａとａ、ボルト孔ｂとｂがボルト止めされる。なお、図１０及び図１２も同様である。
【００２９】
圧縮空気導入管３の左端部の搭載ブラケット５２とバンド部材７２の構成は図９に示され、空気増幅装置２の搭載状態は図１０に示されている。圧縮空気導入管３の左端部では、圧縮空気源（図示なし）に繋がる圧縮空気供給管３３から圧縮空気導入管３内に圧縮空気が供給される。圧縮空気導入管３は、傾斜中継管路３１を介して左端管路３２に接続されている。工場内の圧縮空気源に接続された圧縮空気供給管３３は、左端管路３２に形成された開口部に接続され、圧縮空気を受け入れる。傾斜中継管路３１は、４５度の傾斜角度で、圧縮空気導入管３及び左端管路３２に接続されている。
【００３０】
左端部の搭載ブラケット５２の圧縮空気導入管３の後面支持部５２４は、一対の構成ではなく右側部のみで構成されており、後面支持部５２４の左側端部には、傾斜中継管路３１及び左端管路３２を支持するスペースを設けている。この一つの後面支持部５２４は、圧縮空気導入管３の後面に対して溶接等で一体的に取り付けられている。また、空気増幅装置２の空気増幅部１１は、把持部５２２に位置されて１／４円弧状のバンド部材７２により、ボルト止めして把持される。
【００３１】
圧縮空気導入管３の右端部の搭載ブラケット５３とバンド部材７３の構成は図１１に示され、空気増幅装置２の搭載状態は図１２に示されている。圧縮空気導入管３の右端部は、圧縮空気導入管３の終端部であり、端板１０により、流路は行き止まりとされている。
【００３２】
右端部の搭載ブラケット５３の圧縮空気導入管３の後面支持部５３４は、一対の構成ではなく左側部のみ（左端部の搭載ブラケット５２の後面支持部５２４とは反対側）で構成されている。この一つの後面支持部５３４は、圧縮空気導入管３の後面に対して溶接等で一体的に取り付けられている。また、空気増幅装置２の空気増幅部１１は、把持部５３２に位置されて１／４円弧状のバンド部材７２により、ボルト止めして把持される。
【００３３】
圧縮空気導入管３の終端部を閉塞する端板１０は、後面側に延び出しておりボルト止め用の孔ｆを形成している。これにより、空気増幅装置２の空気増幅部１１は、把持部５３２に位置されて１／４円弧状のバンド部材７２により把持される。
【００３４】
このように複数の空気増幅装置２を独立して搭載した一本の圧縮空気導入管３は、適当な手段により、集塵後ろ面装置１の筐体に適宜取り付けられる。図示した実施例においては、左側端は圧縮空気供給管３３によってフレームに支持し、右側端は端板１０に対して固定された支持板９によって、フレームに支持する。支持板９には補強リブ９１を設けても良い。
【００３５】
搭載ブラケット５とバンド部材７により、把持部（５１２，５２２，５３２）に把持され独立搭載された空気増幅装置２を、圧縮空気導入管３に対して、より強固に取り付けるために、詳細を図１３に示すフック８を設けることができる。フック８は、一枚の板材から成り、平行な切込み８１を入れて長片状の突起部８２を形成し、突起部８２を山形に形成し、その山形頂部を空気増幅装置２の圧縮空気導入部１２の外縁カシメ部を外方から引掛けるフック部として構成する。
【００３６】
圧縮空気導入管３は、空気増幅装置２の圧縮空気導入部１２へ圧縮空気を導入する。圧縮空気導入管３の太さや長さなどの具体的な形態は、空気増幅装置２が増幅効果を損なわない限り特に限定されず、目的のバグフィルター４、設置場所の形態などに合わせて自由に設計することができる。
【００３７】
また、圧縮空気導入管３の配置についても前述した効果を損なわない限り特に限定されず、設置場所の形態などに合わせて自由に設計することができるが、本実施例においては、空気増幅装置２の圧縮空気導入部１２に連通するように、圧縮空気導入部１２の下部に設置することが好ましい。
【００３８】
また、通常、空気増幅装置２やバグフィルター４のメンテナンスなどを行う際、空気増幅装置２の上を、人が移動する場合がある。この場合、人の重さによって、空気増幅装置２が傾いてしまう可能性がある。
【００３９】
しかし、本実施例では、バンド部材７、搭載ブラケット５により空気増幅装置２が保持されるので、人の重さによる空気増幅装置２の傾きを防止して、その水平性を維持することができ、その結果、優れた空気増幅効果を維持することができる。
【００４０】
以上のような本実施例のバグフィルター４の逆洗に用いる空気増幅装置２を備えた集塵装置１によれば、複数からなる空気増幅装置の各々を独立搭載で着脱自在に装着したことにより、各空気増幅装置に対しての保守・管理等の作業を独立して行うことができる。
【符号の説明】
【００４１】
１  集塵装置
２  空気増幅装置
３  圧縮空気導入管
４  バグフィルター
５  搭載ブラケット（５１，５２，５３）
６  集塵装置の隔壁
７  バンド部材（７１，７２，７３）
８  フック
９  支持板
１０  端板
１１  空気増幅部
１２  圧縮空気導入部
３１  傾斜中継管路
３２  左端管路
３３  圧縮空気供給管
１１１  Ｒ状傾斜面
１１２  外部空気誘引口
１１３  増幅空気噴出口
１１４  側壁
１２１  圧縮空気導入口
１２２  圧縮空気噴射孔
１２３  圧縮空気誘導壁
【図１】
2019093368.tif 000003
【図２】
2019093368.tif 000004
【図３】
2019093368.tif 000005
【図４】
2019093368.tif 000006
【図５】
2019093368.tif 000007
【図６】
2019093368.tif 000008
【図７】
2019093368.tif 000009
【図８】
2019093368.tif 000010
【図９】
2019093368.tif 000011
【図１０】
2019093368.tif 000012
【図１１】
2019093368.tif 000013
【図１２】
2019093368.tif 000014
【図１３】
2019093368.tif 000015